(57)【要約】【課題】保持体を重量物に固定具により取付固定することによりホース受体を立設固定することができ、ホース受体を通水ホースの引き回し位置に配置することにより通水ホースの円滑な引き回し案内を行うことができ、ホース受体は支柱体に支柱体の軸線回りに回動自在に設けられているので、通水ホースの方向転換に対応することができ、かつ、支柱体を上下調節することができ、通水ホースの案内経路に対する融通性を高めることができ、円滑な引き回し案内を行うことができる。【解決手段】下端部を地中に穿入可能な支柱体１と、支柱体の上端部に設けられ、通水ホースＷを引き回し案内可能なホース受体６とを備えてなり、ホース受体を支柱体に支柱体の軸線回りに回動自在に設け、支柱体を上下調節及び抜差自在に保持可能な保持体１１を設け、保持体を重量物１５に取付可能な固定具１４を設けてなる。【選択図】図１
2006336799.tif 000002
【特許請求の範囲】
【請求項１】
下端部を地中に穿入可能な支柱体と、該支柱体の上端部に設けられ、通水ホースを引き回し案内可能なホース受体とを備えてなり、上記ホース受体を上記支柱体に支柱体の軸線回りに回動自在に設け、該支柱体を上下調節及び抜差自在に保持可能な保持体を設け、該保持体を重量物に取付可能な固定具を設けてなることを特徴とするホースガイド。
【請求項２】
上記重量物はコンクリートブロックであることを特徴とする請求項１記載のホースガイド。
【請求項３】
上記ホース受体は、上部に開口部を有する略Ｃ形状のＣ杆体と、該Ｃ杆体に回動自在に並設された複数個のローラからなることを特徴とする請求項１又は２記載のホースガイド。
【請求項４】
上記Ｃ杆体は上記開口部を拡開可能な弾性を有していることを特徴とする請求項３記載のホースガイド。
【請求項５】
上記Ｃ杆体の両開口端部間に紐状体を着脱自在に設けてなることを特徴とする請求項３又は４記載のホースガイド。
【発明の詳細な説明】
【技術分野】
【０００１】
本発明は農園等における灌水作業や駐車場等における洗車作業等おける通水ホースの引き回し案内に用いられるホースガイドに関するものである。
【背景技術】
【０００２】
従来、この種のホースガイドとして、下端部を地中に穿入可能な支柱体と、該支柱体の上端部に設けられ、通水ホースを引き回し案内可能なホース受体とからなる構造のものが知られている。
【特許文献１】実公平２−３１６６５号公報
【発明の開示】
【発明が解決しようとする課題】
【０００３】
しかしながら上記従来構造の場合、例えば、上記ホース受体にホースリールから引き出した通水ホースを挿通し、通水ホースの先端部の散水ノズルから散水し、農園等における灌水作業や駐車場等における洗車作業を行う際、通水ホースの方向転換に伴う案内が円滑になされないことがあり、又、突き刺し可能な地面等のでの使用に限られ、コンクリートやアスファルト、石畳の路面においての使用ができず、使用の融通性が低下しているという不都合を有している。
【課題を解決するための手段】
【０００４】
本発明はこれらの不都合を解決することを目的とするもので、本発明のうちで、請求項１記載の発明は、下端部を地中に穿入可能な支柱体と、該支柱体の上端部に設けられ、通水ホースを引き回し案内可能なホース受体とを備えてなり、上記ホース受体を上記支柱体に支柱体の軸線回りに回動自在に設け、該支柱体を上下調節及び抜差自在に保持可能な保持体を設け、該保持体を重量物に取付可能な固定具を設けてなることを特徴とするホースガイドにある。
【０００５】
又、請求項２記載の発明は、上記重量物はコンクリートブロックであることを特徴とするものであり、又、請求項３記載の発明は、上記ホース受体は、上部に開口部を有する略Ｃ形状のＣ杆体と、該Ｃ杆体に回動自在に並設された複数個のローラからなることを特徴とするものであり、又、請求項４記載の発明は、上記Ｃ杆体は上記開口部を拡開可能な弾性を有していることを特徴とするものであり、又、請求項５記載の発明は、上記Ｃ杆体の両開口端部間に紐状体を着脱自在に設けてなることを特徴とするものである。
【発明の効果】
【０００６】
本発明は上述の如く、本発明のうち、請求項１記載の発明にあっては、保持体を重量物に固定具により取付固定することによりホース受体を立設固定することができ、ホース受体を通水ホースの引き回し位置に配置することにより通水ホースの円滑な引き回し案内を行うことができ、ホース受体は上記支柱体に支柱体の軸線回りに回動自在に設けられているので、通水ホースの方向転換に対応することができ、かつ、支柱体を上下調節することができ、通水ホースの案内経路に対する融通性を高めることができ、円滑な引き回し案内を行うことができ、更に、保持体から支柱体を抜き取り、支柱体を地面に穿入することができ、配置の融通性を高めることができる。
【０００７】
又、請求項２記載の発明にあっては、上記重量物はコンクリートブロックであるから、ホース受体を任意箇所に容易に配置することができ、又、請求項３記載の発明にあっては、上記ホース受体は、上部に開口部を有する略Ｃ形状のＣ杆体と、Ｃ杆体に回動自在に並設された複数個のローラからなるので、通水ホースを開口部を介して挿脱することができると共にローラにより通水ホースの引き出し案内を容易に行うことができ、又、請求項４記載の発明にあっては、上記Ｃ杆体は上記開口部を拡開可能な弾性を有しているから、通水ホースの外径サイズに対する挿脱の融通性を高めることができ、又、請求項５記載の発明にあっては、上記Ｃ杆体の両開口端部間に紐状体を着脱自在に設けているから、ホース受体内の通水ホースの抜けを防ぐことができ、一層使用の融通性を高めることができる。
【発明を実施するための最良の形態】
【０００８】
図１乃至図７は本発明の実施の形態例を示し、１は支柱体であって、下端部に地中に穿入可能な尖鋭部２が形成され、この場合、支柱体１の上端部に回動軸３を環状溝４及びガイドねじ５により回動自在に挿通し、この回動軸３の上端部に通水ホースＷを引き回し案内可能なホース受体６を設けることにより支柱体１の上端部に回動軸３を介してホース受体６を支柱体１の軸線回りに回動自在に設けて構成している。
【０００９】
この場合、上記ホース受体６は、上部に開口部Ｒを有する略Ｃ形状のＣ杆体７と、このＣ杆体７に回動自在に並設された複数個のローラ８・８・８からなり、この複数個のローラ８・８・８の内側の外周面により通水ホースＷを引き回し案内可能に構成している。
【００１０】
又、この場合、上記Ｃ杆体７は、材質、線径を考慮し、上記開口部Ｒを手で強く開くことにより拡開可能な弾性を有して形成され、かつ、上記Ｃ杆体７の両開口端部７ａ・７ａに鎖からなる紐状体９の各遊離端部に止めピン１０・１０を固定し、止めピン１０・１０を挿通孔７ｂ・７ｂに着脱自在に挿通して構成している。
【００１１】
１１は保持体であって、この場合、上記支柱体１を上下調節在及び抜差自在に保持可能な筒状材により形成され、保持体１１の上端部側周面に止めボルト１２を螺着すると共に支柱体１の外周面に把手杆１３を突設し、止めボルト１２の緊締弛緩回動により支柱体１を保持体１１に対して上下調節及び抜差自在に保持固定可能に設けている。
【００１２】
１４は固定具であり、重量物１５、この場合、コンクリートブロックの上面に載置可能な面板１４ａの対向縁部にコンクリートブロックの両側面に掛止可能な掛止板１４ｂ・１４ｂを折曲形成してなり、固定具１４の中央部に保持体１１を立設し、掛止板１４ｂに止めボルト１４ｃを螺着して構成している。
【００１３】
この実施の形態例は上記構成であるから、図６の如く、保持体１１を重量物１５に固定具１４により取付固定することによりホース受体６を立設固定することができ、ホース受体６を通水ホースＷの引き回し位置に配置することにより通水ホースＷの円滑な引き回し案内を行うことができ、ホース受体６は上記支柱体１に支柱体１の軸線回りに回動自在に設けられているので、通水ホースＷの方向転換に対応することができ、かつ、支柱体１を上下調節することができ、通水ホースＷの案内経路に対する融通性を高めることができ、円滑な引き回し案内を行うことができ、更に、図７の如く、保持体１１から支柱体１を抜き取り、支柱体１を地面Ｇに穿入することができ、配置の融通性を高めることができる。
【００１４】
この場合、上記重量物１５はコンクリートブロックであるから、ホース受体６を任意箇所に容易に配置することができ、又、この場合、上記ホース受体６は、上部に開口部Ｒを有する略Ｃ形状のＣ杆体７と、Ｃ杆体７に回動自在に並設された複数個のローラ８・８・・・からなるので、通水ホースＷを開口部Ｒを介して挿脱することができると共にローラ８により通水ホースＷの引き出し案内を容易に行うことができ、又、この場合、上記Ｃ杆体７は上記開口部を拡開可能な弾性を有しているから、通水ホースＷの外径サイズに対する挿脱の融通性を高めることができ、又、この場合、上記Ｃ杆体７の両開口端部７ａ・７ａ間に紐状体９を着脱自在に設けているから、ホース受体６内の通水ホースの抜けを防ぐことができ、一層使用の融通性を高めることができる。
【００１５】
尚、本発明は上記実施の形態例に限られるものではなく、支柱体１、保持体１１、固定具１４等の形態、構造、材質等は適宜変更して設計される。
【００１６】
以上、所期の目的を充分達成することができる。
【図面の簡単な説明】
【００１７】
【図１】本発明の実施の形態例の全体斜視図である。
【図２】本発明の実施の形態例の分離斜視図である。
【図３】本発明の実施の形態例の側断面図である。
【図４】本発明の実施の形態例の部分斜視図である。
【図５】本発明の実施の折り畳み状態の後面図である。
【図６】本発明の実施の形態例の使用状態図である。
【図７】本発明の実施の形態例の他の使用状態図である。
【符号の説明】
【００１８】
Ｗ    通水ホース
１    支柱体
６    ホース受体
７    Ｃ杆体
８    ローラ
９    紐状体
１１    保持体
１４    固定具
１５    重量物
【図１】
2006336799.tif 000003
【図２】
2006336799.tif 000004
【図３】
2006336799.tif 000005
【図４】
2006336799.tif 000006
【図５】
2006336799.tif 000007
【図６】
2006336799.tif 000008
【図７】
2006336799.tif 000009